(57)【要約】 【課題】  使用に際してガタの発生がない伸縮箸の鞘部材、棒状部材、蓋部材を高い精度で、且つ、安価に製造する。 【解決手段】  伸縮箸の鞘部材を細いパイプにして先端に環状保持部を形成し、後端から蓋部材を一体的にテーパー結合した棒状部材を挿入して、蓋部材を鞘部材にテーパー結合させた状態で、棒状部材を把持して引出位置および収納位置への切り換えが簡単にでき、それぞれの位置で棒状部材をテーパー結合させることによりガタツキを防止して固定できる。また、鞘部材から棒状部材を抜き出す時には、棒状部材に蓋部材が一体的に結合されており蓋部材の紛失をなくして棒状部材の衛生管理が確実にできる。【選択図】図１
2009066238.tif 000002
【特許請求の範囲】
【請求項１】
前後両端を開口した筒状の鞘部材と、同鞘部材内に鞘部材の後端開口から挿入して先端開口から引き出し可能に収納した鞘部材よりも長く形成した棒状部材とからなる箸において、 該鞘部材の先端開口部をテーパー状に縮径した環状保持部に形成すると共に、前記棒状部材を先端に向かって漸次その径を細くしたテーパー状に構成し、棒状部材を把持して鞘部材から引き出して伸長したとき、鞘部材の環状保持部と棒状部材の基部とがテーパー係合して該棒状部材を摩擦により係止するように構成し、さらに前記鞘部材の後端開口部に圧入固定される蓋部材を着脱自在に設けて、蓋部材の先端と棒状部材の後端の接当部に、雄雌嵌合する凹部若しくは凸部を設けて両部材が係合するように構成し、棒状部材を把持して鞘部材に押し込んで縮小したとき、棒状部材が蓋部材に係合係止されて該蓋部材により棒状部材の前方および後方への抜け出しを阻止するように構成したことを特徴とする伸縮箸。 
【請求項２】
鞘部材の後端開口部に蓋部材を圧入固定される摩擦係合により係止させておき、棒状部材を把持して鞘部材に押し込んで縮小したときに棒状部材が蓋部材に係合係止されると共に、更に棒状部材を前記蓋部材の摩擦係合に抗して後方へ押し込むと、鞘部材から蓋部材が離脱して、蓋部材が棒状部材に一体的に係止された状態で棒状部材を鞘部材から後方へ抜き出すことができることを特徴とする請求項１記載の伸縮箸。
【請求項３】
前記鞘部材をアルミ系の金属筒製にし、棒状部材と蓋部材を樹脂製に構成したことを特徴とする請求項１、２記載の伸縮箸。
【請求項４】
棒状部材を耐曲性を向上させた強化樹脂で構成して撓みを少なくすると共に、棒状部材の外周に滑り止め加工を施したことを特徴とする請求項３記載の伸縮箸。
【発明の詳細な説明】
【技術分野】
【０００１】
本発明は、通常の弁当箱やカップ麺容器等への取付けと、携行する際の持ち運びに便利で、箸部の伸長時および縮小時の位置決めを確実にして使い勝手を良くし、更に箸部の取り出しを容易にして蓋部材の紛失を防止しての洗浄も容易にして繰り返し使用も可能な伸縮箸の構造に関するものである。
【背景技術】
【０００２】
従来、木、竹等の天然繊維材からなる把持部とこの把持部を収納する合成樹脂製の鞘と からなり、前記把持部を前記鞘から引き出し可能、収納可能に形成し、且つ、把持部の基部外面と鞘の先端部の内面周囲に複数段の環状凹凸を形成して、把持部を鞘から引き出したとき前記把持部の基部と鞘の先端部とが係止するようにした食品用箸が、例えば特許文献１、２などで提案されている。
【０００３】
この伸縮自在の食品用箸は、持ち運びに際しては短くできる上に、把持部を引出して通常の箸の長さにして使用できる上に、食品を把持する部分が木製あるいは竹製の自然の繊維質材であるので、食品を把持するのに全く違和感がなく繰り返し使用が可能な上に、麺類をつかむときにも滑りにくく、また木材等の使用量も少なくて済み、木材資源の消費節減に寄与できる等の利点があると謂われている。 
【０００４】
しかしながら、前記の把持部と鞘との係止保持構造では、合成樹脂製の鞘が薄肉で鞘による把持部の十分な固定機能がなく、とくに、使用時に把持部と鞘との間にガタを生じ、把持力と安定性に欠けたものとなり、通常の一体物の箸に比べ使い勝手の悪いものとなる恐れがあった。そのためにガタ防止の係合構成を創案されているが構造が複雑であった。また、鞘から把持部を抜き出して洗浄するときなどに鞘から外した蓋部材が紛失するなどの恐れがあった。
【特許文献１】特開平１０−２３０４４０号公報
【特許文献２】特許第２８７３１５５号公報
【発明の開示】
【発明が解決しようとする課題】
【０００５】
上記のものはガタ防止の係合構成を創案されているが構造が複雑であるが故に、弾力維持と強度保持に工夫を要してコスト高となる恐れがあり、また経年使用により係合構成部に汚れや垢が溜まりやすく細菌の住み処となってもこれの洗浄が円滑にできない恐れがあって衛生管理面に劣る心配があった。また、鞘から把持部を抜き出して洗浄するときなどに鞘から外した蓋部材が紛失するなどの恐れがあり、再使用する時に困ることもあった。
【０００６】
本発明の目的は、棒状部材を把持して鞘部材内に収納でき、且つ、棒状部材を把持して鞘部材から引き出して使用する伸縮自在の食品用伸縮箸の使用時における安定性を改善して、操作性、強度面、衛生面において長年に亘る経年使用を可能にして一体物箸と同等の使い易さを有する引出し自在の伸縮箸を提供することにある。 
【０００７】
さらに詳しくは、棒状部材を先端に至るほど先細のテーパー状に形成し、鞘部材の先端開口をテーパー状に絞って縮径させ、テーパー状の嵌合特性を有効利用して、使用の際、棒状部材を鞘部材の先端開口から引出したとき、テーパー結合による確実な棒状部材の摩擦係止と、把持部材の鞘部材に対するガタツキのない固定を可能にして通常の一体物箸と同等の使い勝手を有するもので、箸部材の伸長時および縮小時の位置決めを確実にして使い勝手を良くし、更に鞘部材の後端開口からの箸部材の取り出しを蓋部材と一体にして容易にでき、蓋部材の紛失を防止しての箸部材の洗浄も容易にして、これら鞘部材、棒状部材、蓋部材をシンプルな形状にして水洗い洗浄を確実にして衛生面の保持を図り長年に亘って繰り返し使用も可能な食品用の伸縮箸構造を提供するものである。
【課題を解決するための手段】
【０００８】
本発明は、第一に、前後両端を開口した筒状の鞘部材と、同鞘部材内に鞘部材の後端から挿入して先端開口から引き出し可能に収納した鞘部材よりも長く形成した棒状部材とからなる箸において、 該鞘部材の先端開口部をテーパー状に縮径した環状保持部に形成すると共に、前記棒状部材を先端に向かって漸次その径を細くしたテーパー状に構成し、棒状部材を把持して鞘部材から引き出して伸長したとき、鞘部材の環状保持部と棒状部材の基部とがテーパー係合して該棒状部材を摩擦により係止するように構成し、さらに前記鞘部材の後端開口部に圧入固定される蓋部材を着脱自在に設けて、蓋部材の先端と棒状部材の後端の接当部に、雄雌嵌合する凹部若しくは凸部を設けて両部材が係合するように構成し、棒状部材を把持して鞘部材に押し込んで縮小したとき、棒状部材が蓋部材に係合係止されて該蓋部材により棒状部材の前方および後方への抜け出しを阻止するように構成したことを特徴とする。 
【０００９】
第二に、鞘部材の後端開口部に蓋部材を圧入固定される摩擦係合により係止させておき、棒状部材を把持して鞘部材に押し込んで縮小したときに棒状部材が蓋部材に係合係止されると共に、更に棒状部材を前記蓋部材の摩擦係合に抗して後方へ押し込むと、鞘部材から蓋部材が離脱して、蓋部材が棒状部材に一体的に係止された状態で棒状部材を鞘部材から後方へ抜き出すことができることを特徴とする。
【００１０】
第三に、前記鞘部材をアルミ系の金属筒製にし、棒状部材と蓋部材を樹脂製に構成したことを特徴とし、第四に、棒状部材を耐曲性を向上させた強化樹脂で構成して撓みを少なくすると共に、棒状部材の外周に滑り止め加工を施したことを特徴とする。
【発明の効果】
【００１１】
本発明によって以下の効果を奏する。 
（１）持ち運び時には短尺とし、使用時には棒状部材を鞘部材から引き出すだけで通常の箸と同等に安定して使用できる箸が提供される。 
（２）使用時には棒状部材と鞘部材との間の係止が十分で、棒状部材の基部は鞘部材の先端開口内面のテーパー部によって押し付けられているのでガタが発生することがなく、通常の食事のための箸として違和感なく使用できるばかりではなく、繰り返し使用に十分に耐え得る。特に、鞘部材の先端開口部に、把持部材を支持するテーパー状に縮径した環状保持を形成することによって、棒状部材を鞘部材から引き出したとき、鞘部材の内面に形成した環状保持部による支持によりガタツキが防止される。 
（３）任意の長さの短尺にして収納できるので、弁当箱やカップ麺の容器等に付属した箸として好適に使用できる。
（４）鞘部材の後端開口からの箸部材の取り出しを蓋部材と一体にして容易にでき、蓋部材の紛失を防止しての箸部材の洗浄も容易にして、これら鞘部材、棒状部材、蓋部材をシンプルな形状にして水洗い洗浄を確実にして衛生面の保持を図り長年に亘って繰り返し使用も可能となる。 
【発明を実施するための最良の形態】
【００１２】
以下、本発明の実施形態を図面に基づいて詳細に説明する。図１は、本発明の伸縮箸Ａの使用状態での実施例を示すもので、筒状の鞘部材１に収納された棒状部材５を、図２によって示す収納状態から引き出した状態を示す図である。図３は鞘部材の単品図、図４は棒状部材の単品図、図５は蓋部材の単品図を示し、図６、図７は袋ケースの使用状態を示す斜視図を示している。 
【実施例】
【００１３】
図１、図２に示す伸縮箸Ａの鞘部材１は、図３の単品図に詳細が示してあり、パイプ形態の前後両端２、３を開口したアルミ系の細い金属筒製（外径６ミリ程度）からなり、該鞘部材１内部には貫通孔４が形成されており、該鞘部材１の先端開口部を先端に向かってテーパー状に絞って縮径した環状保持部５に形成する。
該鞘部材１の外周はアルマイト処理でコーティングされており、色も金色系や、銀色系、あるいはピンク系などが用意されるが顧客の要望に応じて各種の色が設定可能である。そして、同鞘部材１内には、鞘部材１の後端開口３から挿入して先端開口２から引き出し可能に収納した鞘部材１よりも長く形成した棒状部材６が収納される。このように棒状部材６を鞘部材１内に収納した状態では、棒状部材６の先端部７は鞘部材１の先端より突出しており、棒状部材６の先端を把持して該棒状部材６を鞘部材１から引き出すのに便利なように形成されている。
【００１４】
該棒状部材６はガラス繊維などの耐曲性を向上させる素材を混入した強化樹脂製（耐熱性に優れた軽量のＳＰＳ（シンジオオタクチックポリスチレン）樹脂）で撓みを少なくしてあり、端部７に向かって漸次その径を細くしたテーパー状８に構成されて箸としての機能性を有するようにされており、棒状部材６の外周は麺類をつかむときにも滑りにくく且つ把持した際の滑りを防止するために、艶消し加工や絞加工による表面を粗雑面にする滑り止め加工が施してある。棒状部材６の色は、黒色系や、茶色系、ピンク系が用意されるが顧客の要望に応じて各種の色が設定可能である。そして、先該棒状部材６の基部９の外径（外径５．５ミリ程度）は前記鞘部材１の環状保持部５の内径より若干大きく形成されており、棒状部材６の先端７を把持して該棒状部材６を鞘部材１から引き出して伸長したとき、鞘部材１の環状保持部５と棒状部材６の基部９とが長さ約１５〜３０ミリ程度の範囲で好ましくは３０ミリ程度の長さＬに亘ってテーパー係合して該棒状部材６を摩擦により係止するように構成されており、棒状部材６の基部９と鞘部材１に形成された環状保持部５との摩擦係止作用によって、引き出された棒状部材６は鞘部材１に固定された状態になり、通常の一体物の箸と同様に何の違和感もなく使用できる。
【００１５】
さらに前記鞘部材１の後端開口部３に先端を細径にしたテーパー状の差込筒部１４の基部を圧入固定される合成樹脂製の蓋部材１２を着脱自在に設けているが、該蓋部材１２の先端に設けた結合穴１３に、棒状部材６の基部９後端に先端を細径にして設けたテーパー状の突出軸部１０の基部が圧入されて段部１１で接当して、棒状部材６と蓋部材１２とがテーパー結合により雄雌嵌合されて一体的に係合される。なお、蓋部材１２の先端と棒状部材６の後端の接当部に、雄雌嵌合する凹部若しくは凸部を設けて両部材が係合するように構成するのに、棒状部材６の後端に結合穴部を設け、蓋部材１２の前端に突出軸部を設けるように構造を変更するようにしても良い。
また、上記テーパー結合に代えて、差込筒部１４の外周軸部にリング状の突部を形成させてこれによって係合力を発生させるスナップヒット構成を採用させても良い。このスナップヒット構成は筆記具のキャップ保持等に慣用的に使用されているものである。あるいは差込筒部１４の外周軸部を大径部と小径部にして膨出させた大径部の摩擦力で保持させるようにしても良い。
しかして、鞘部材１の後端開口部３と蓋部材１２の差込筒部１４との間にテーパー結合して発生する嵌合摩擦力が、棒状部材６の突出軸部１０と蓋部材１１の結合穴１３との間にテーパー結合して発生する嵌合摩擦力より大きくなるように構成されているので、前記の棒状部材６と蓋部材１１との係合構成により、棒状部材６を把持して鞘部材１に押し込んで縮小したとき、蓋部材１２が鞘部材１に位置不動で固定された状態のままで、棒状部材６が蓋部材１２に係合係止されて該蓋部材１２により棒状部材６の前方および後方への抜け出しを阻止するようにされている。なお蓋部材１２の前方移動は差込筒部１４の後端に設けた鍔部１５で阻止されている。
【００１６】
このように、鞘部材１の後端開口部３に蓋部材１２を圧入固定される摩擦係合により係止させておき、棒状部材６を把持して鞘部材１に押し込んで縮小したときに棒状部材６が蓋部材１２に係合係止されると共に、更に棒状部材６を前記蓋部材１２の鞘部材１との摩擦係合に抗して後方へ押し込むと、棒状部材６の段部１１の接当を介して鞘部材１から蓋部材１２が離脱して、蓋部材１２が棒状部材６に一体的に係止された状態で棒状部材６を鞘部材１から後方へ抜き出すことができる。
そして、棒状部材６の後部に蓋部材１２を突出軸部１０と結合穴１３とのテーパー結合により一体的に係止させたままの状態で、棒状部材６を水洗い洗浄、布拭き、乾燥させたりして衛生管理を行うことができ、蓋部材１２のみを不測に紛失するような恐れがない。鞘部材１の後端開口部３から棒状部材６を鞘部材１の貫通孔４に挿入する時は蓋部材１２を摘んで押し込むと、鞘部材１に蓋部材１２の差込筒部１４がテーパー結合により圧入され、鍔部１５が鞘部材１の後部に接当した状態で位置決め固定される。
【００１７】
これにより、伸縮箸Ａの棒状部材６は図２の収納位置（全体長さ約１３０ミリ）の時には蓋部材１２とのテーパー結合によりガタツキを防止し、これによって、しっかりと固定されている。また棒状部材６の一対を把持して箸として使用することができる図１の引出位置（全体長さ約２００ミリ）の時には鞘部材１の環状保持部５とのテーパー結合による摩擦係止作用によりガタツキを防止してしっかりと固定されることになる。また収納と使用を繰り返しても、この係止機能が簡単に失われることはない。
以上のように、棒状部材６の後部に蓋部材１２を一体的に係止させる構造と鞘部材１に環状保持部５を設ける構造とを創案することにより、棒状部材６は収納位置及び引出位置で鞘部材１側にガタツキなくしっかりと固定され、それらはテーパー結合による摩擦係止作用であり棒状部材６を把持しての結合、離脱作用が容易にできて操作性に優れるもので使い勝手が良い。
【００１８】
また、図において鞘部材１と棒状部材６とは円形の断面形状に構成されているが、これを任意の断面形状に形成することもできる。例えば、使用時の表面滑りを防止する上からは鞘部材１の表面を八角形または六角形断面とし、棒状部材６の断面は弁当用では円形、カップ麺用では麺等がすべりにくいようにするために八角形にするのが都合がよいが、これに限定されるものではない。 
【００１９】
図６は布製の箸ケース１６の袋部１７に、棒状部材６を鞘部材１に収納して短くした伸縮箸Ａを収容する使用状態を示した斜視図、図７は箸ケース１６の蓋１８を閉じて伸縮箸Ａを被覆して蓋１８先端に設けた輪ゴム１９で止める使用状態を示した斜視図。このように伸縮箸Ａを箸ケース１６に入れて携帯バックやカバン、被服の胸ポケット等に清潔に保管して不潔感のない繰り返し使用のための箸とすることができる。この箸ケース１６は水洗いができる布製で衛生面維持に有効であり、また布地としてデザイン性の良い古着などをリサイクル利用して作成することができて資源再生活用、手作りによる地域の人材活用にも寄与できる利点がある。
【産業上の利用可能性】
【００２０】
本発明の伸縮箸Ａは、短くした状態でワイシャツの胸ポケットに収まるサイズに設定されており携帯用のマイ箸として便利であり、外食時の割箸使用の削減等に寄与でき木材資源の枯渇防止、地球環境保全に繋がるものである。
【図面の簡単な説明】
【００２１】
【図１】本発明に係る伸縮箸の使用時を断面で示す側面図である。
【図２】伸縮箸の収納時を断面で示す側断図である。
【図３】鞘部材を断面で示す側面図と、背面を示す背面図である。
【図４】棒状部材の先端と側面と背面を示す正面図、側面図、背面図である。
【図５】蓋部材の側面を上下に半断面して示す側面図である。
【図６】箸ケースの蓋を開いた使用状態を示す斜視図である。
【図７】箸ケースの蓋を閉じて輪ゴムで止めた使用状態を示す斜視図である。
【符号の説明】
【００２２】
Ａ  伸縮箸
１  鞘部材
６  棒状部材
１２  蓋部材
１６  箸ケース
【図１】
2009066238.tif 000003
【図２】
2009066238.tif 000004
【図３】
2009066238.tif 000005
【図４】
2009066238.tif 000006
【図５】
2009066238.tif 000007
【図６】
2009066238.tif 000008
【図７】
2009066238.tif 000009